(57)【要約】【課題】医薬の施用の間違いを防止する。【解決手段】患者情報とその患者に施用する医薬品種情報及び医薬施用情報が記載された患者ラベルを患者単位の医薬用袋表面に設け、患者情報とその患者に施用する医薬品種情報が記載された医薬ラベルを前記医薬用袋に貼剥可能に設け、同医薬用袋内に医薬ラベルで示される医薬を入れ、医薬用袋の表面に設けた患者ラベル及び医薬ラベルをもって保管・移動の管理をし、患者に医薬を施用する際に医薬用袋の医薬ラベルを剥離して医薬用袋から取り出した医薬に貼り付け、その後患者に施用し、医薬用袋の医薬ラベル剥離跡を目視することで患者に医薬を施用したことを確認できるようにした。【選択図】          図１
2004173810.tif 000002
【特許請求の範囲】
【請求項１】
患者情報とその患者に施用する医薬品種情報及び医薬施用情報を患者単位の医薬用袋表面に表示又はそれらの各情報が記載された患者ラベルを設け、患者情報とその患者に施用する医薬品種情報が記載された医薬ラベルを前記医薬用袋の表面に貼剥可能に設け、同医薬用袋内に医薬ラベルで示される医薬を入れ、医薬用袋表面の表示又は表面に設けた患者ラベル及び医薬ラベルをもって保管・移動の管理をし、患者に医薬を施用する際に医薬用袋の医薬ラベルを剥離して医薬用袋から取り出した医薬に貼り付けるか、又は医薬用袋の医薬ラベルを剥離して医薬用袋から取り出した医薬を使用する医療器具に貼り付け、その後患者に施用し、医薬用袋の医薬ラベル剥離跡を目視することで患者に医薬を施用したことを確認できるようにした医薬施用管理方法。
【請求項２】
患者情報とその患者に施用する医薬品種情報及び医薬施用情報の全部又は一部をバーコード表現で医薬用袋表面に表示又は表面に設けた患者ラベル及び医薬ラベルに付記し、メインコンピュータのデータベースに前記各バーコードで示される患者名・医薬の品種・施用月日を関連付けた情報を入力もしくは外部から取り込むことによって管理を行い、患者に医薬を施用する際にバーコードの読み取り機能を備え且つ前記メインコンピュータと有線又は無線でデータの送受信が可能な携帯情報端末で各バーコードを読み取るとともにメインコンピュータのデータベースから該当する患者の患者情報とその患者に施用する医薬品種情報及び医薬施用情報の全部又は一部を読み込み、バーコードの読取情報とデータベースの入力情報とを照合し、患者に施用する医薬の品種と施用月日の正否を判断して不一致があれば携帯情報端末が警報するようにして確認できるようにした請求項１記載の医薬施用管理方法。
【請求項３】
患者情報とその患者に施用する医薬品種情報及び医薬施用情報を表わすバーコードを医薬用袋表面に表示するか又はそのバーコードが記載された患者ラベルを医薬用袋表面に貼り付け、患者情報とその患者に施用する医薬品種情報を表わすバーコードが記載された医薬ラベルを医薬用袋表面に貼剥可能に設けた医薬用袋。
【請求項４】
医薬ラベルが、一枚のラベルを複数枚の小ラベルに切り離しできるようにするミシン目を形成し、各小ラベルに患者情報とその患者に施用する医薬品種情報をそれぞれ記載したものである請求項３記載の医薬用袋。
【発明の詳細な説明】
【０００１】
【発明の属する技術分野】
本発明は、医療施設で施用される注射薬等の医薬の保管と施用の際、患者の照合を正確に行い取り間違いを防止する方法に関する。
【０００２】
【従来の技術】
従来、注射薬を患者に施用するための準備は、ナースステーションで医師の処方した処方箋に記載された注射薬施用内容を看護師が注射薬の保管棚より取り揃えて行っている。しかし、同時に複数の患者の注射薬施用の準備をすることが多い為、薬品の取り揃え間違いを起こすことがあった。また、注射薬や注射筒を準備して患者に施用する際は、注射薬に患者名を手書きで書き込んで識別することがあるが、施用対象患者の取り間違いを起こすことがあった。
【０００３】
【発明が解決しようとする課題】
本発明が解決しようとする課題は、従来のこれらの問題点を解消し、患者に施用される医薬や医療器具に患者と施用情報の照合を行えるバーコード付きラベルを貼付し、施用直前に患者と医薬情報を確認することにより医薬の過った施用を防止するとともに、このラベルを患者別、施用別に区分保管された医薬用袋に貼付することにより医薬の施用の間違いを防止する医薬施用管理方法を提供することにある。
【０００４】
【課題を解決するための手段】
かかる課題を解決した本発明の構成は、
１）  患者情報とその患者に施用する医薬品種情報及び医薬施用情報を患者単位の医薬用袋表面に表示又はそれらの各情報が記載された患者ラベルを設け、患者情報とその患者に施用する医薬品種情報が記載された医薬ラベルを前記医薬用袋の表面に貼剥可能に設け、同医薬用袋内に医薬ラベルで示される医薬を入れ、医薬用袋表面の表示又は表面に設けた患者ラベル及び医薬ラベルをもって保管・移動の管理をし、患者に医薬を施用する際に医薬用袋の医薬ラベルを剥離して医薬用袋から取り出した医薬に貼り付けるか、又は医薬用袋の医薬ラベルを剥離して医薬用袋から取り出した医薬を使用する医療器具に貼り付け、その後患者に施用し、医薬用袋の医薬ラベル剥離跡を目視することで患者に医薬を施用したことを確認できるようにした医薬施用管理方法
２）  患者情報とその患者に施用する医薬品種情報及び医薬施用情報の全部又は一部をバーコード表現で医薬用袋表面に表示又は表面に設けた患者ラベル及び医薬ラベルに付記し、メインコンピュータのデータベースに前記各バーコードで示される患者名・医薬の品種・施用月日を関連付けた情報を入力もしくは外部から取り込むことによって管理を行い、患者に医薬を施用する際にバーコードの読み取り機能を備え且つ前記メインコンピュータと有線又は無線でデータの送受信が可能な携帯情報端末で各バーコードを読み取るとともにメインコンピュータのデータベースから該当する患者の患者情報とその患者に施用する医薬品種情報及び医薬施用情報の全部又は一部を読み込み、バーコードの読取情報とデータベースの入力情報とを照合し、患者に施用する医薬の品種と施用月日の正否を判断して不一致があれば携帯情報端末が警報するようにして確認できるようにした前記１）記載の医薬施用管理方法
３）  患者情報とその患者に施用する医薬品種情報及び医薬施用情報を表わすバーコードを医薬用袋表面に表示するか又はそのバーコードが記載された患者ラベルを医薬用袋表面に貼り付け、患者情報とその患者に施用する医薬品種情報を表わすバーコードが記載された医薬ラベルを医薬用袋表面に貼剥可能に設けた医薬用袋
４）  医薬ラベルが、一枚のラベルを複数枚の小ラベルに切り離しできるようにするミシン目を形成し、各小ラベルに患者情報とその患者に施用する医薬品種情報をそれぞれ記載したものである前記３）記載の医薬用袋
にある。
【０００５】
【作用】
本発明によれば、患者に医薬を施用する際に医薬用袋の医薬ラベルを剥離して医薬用袋から取り出した医薬に貼り付けるか、又は医薬用袋の医薬ラベルを剥離して医薬用袋から取り出した医薬を施用する医療器具に貼り付け、その後患者に施用することで、医薬用袋の医薬ラベル剥離跡の目視により患者に医薬を施用したことを容易且つ確実に確認できるようになる。
【０００６】
【発明の実施の形態】
本発明では、患者情報とその患者に施用する医薬品種情報及び医薬施用情報の全部又は一部をバーコード表現で医薬用袋表面に表示又は設けた患者ラベル及び医薬ラベルに付記し、メインコンピュータのデータベースに前記各バーコードで示される患者名・医薬の品種・施用月日を関連付けた情報を入力もしくは外部から取り込むことによって管理を行うと、患者に医薬を施用する際にバーコードの読み取り機能を備えた携帯情報端末で各バーコードを読み取るとともにメインコンピュータのデータベースから該当する患者情報とその患者に施用する医薬品種情報及び医薬施用情報の全部又は一部を読み込み、バーコードの読取情報とデータベースの入力情報とを照合し、患者に施用する医薬の品種と施用月日の正否を判断して不一致があれば携帯情報端末が警報させるようにすることで、より正確に確認して間違いを防止できる。
【０００７】
また、医薬ラベルとして一枚のラベルを複数枚の小ラベルに切り離しできるようにするミシン目を形成し、各小ラベルに患者情報とその患者に施用する医薬品種情報をそれぞれ記載したものを用いてもよい。なお、本発明でいう携帯情報端末は、手帳サイズのモバイルＰＣやハンドヘルドＰＣと呼ばれる携帯用コンピュータ，携帯が容易な小型のノート型コンピュータを包含し、データベース・サーバー等のメインコンピュータと有線又は無線でネットワーク接続してデータの送受信を可能とするものである。
【０００８】
【実施例】
以下、本発明の実施例を図面に基づいて具体的に説明する。図１〜５に示す実施例は点滴の施用においてミシン目で複数に分割できるようにした各小ラベルに患者及び医薬を識別するバーコードをそれぞれ印字し、施用時にバーコード読み取り機能を備えた携帯情報端末でバーコードを読み取ってメインコンピュータ内の患者情報と照合することで施用の正否を正確に確認できるようにした例である。
【０００９】
図１は実施例の医薬用袋の外観図、図２は実施例のメインコンピュータ及びバーコード読み取り機能を備えた携帯情報端末のデータベースの概念図、図３は実施例のラベルの貼り替えとバーコードの読み取りを示す説明図、図４は実施例の医薬の施用手順を示す説明図、図５は実施例のデータベースのソフトウェアのフローチャートである。図中、１は患者ラベル、１ａは患者情報、１ｂは医薬品種情報、１ｃは医薬施用情報、１ｄはバーコード、２は医薬ラベル、２ａは患者情報、２ｂは医薬品種情報、２ｃはバーコード、３はミシン目、４は医薬用袋、５は点滴用の医薬、６はメインコンピュータ、６ａはインターフェイス、７はデータベースのソフトウェア、７ａはデータベース部、８はバーコード読み取り機能を備えた携帯情報端末、８ａはインターフェイス、８ｂは表示部、８ｃは警報部、９は照合用のソフトウェア、９ａはデータベース記憶部、９ｂは読取記憶部、９ｃは照合部、Ｈは人である。
【００１０】
本実施例では、図１に示すように患者単位の透明な医薬用袋４の正面に予め貼剥可能に貼付されたラベル１に、患者情報１ａ（氏名・年令・性別等）と医薬品種情報１ｂ（品名・容量等）と医薬施用情報１ｃ（施用月日・点滴速度等）及びそれらを識別するバーコード１ｄを患者ラベル１に、患者情報２ａ（氏名）と医薬品種情報２ｂ（品名・容量）及びそれらを識別するバーコード２ｃを医薬ラベル２に図示しないプリンタでそれぞれ印字し、医薬ラベル２で示される医薬５を医薬用袋４に入れて患者に施用するまで保管・移動の管理を行う。患者ラベル１と各医薬ラベル２はミシン目３により容易に切り離し可能となっている。
【００１１】
一方、図２に示すようにメインコンピュータ６ではデータベースのソフトウェア７がインストールされており、このソフトウェア７は不特定多数の患者情報と多種多様の医薬品種情報と患者単位の医薬施用情報をそれぞれ関連付けて前記バーコードに対応させた情報を入力もしくは外部から取り込んで構築したデータベース部７ａより構成されている。携帯情報端末８には照合用のソフトウェア９がインストールされており、データベース部７ａにある情報の全部又は一部を読み込んだデータベース記憶部９ａ、バーコードの情報を読み込んだ読取記憶部９ｂ、照合部９ｃより構成されている。また、携帯情報端末８には表示部８ｂと警報部８ｃを備え、脱着自在なネットワークケーブルでメインコンピュータ６と接続されており、患者の病室単位に備えられているものである。
【００１２】
本実施例では、医薬５の施用前の準備として、図３（ａ）及び図４に示すように施用すべき医薬５を医薬用袋４から取り出した後、医薬用袋４に貼付されている取り出した医薬５に該当する医薬ラベル２をミシン目３に沿って切り剥がして前記医薬５に貼り替える。従って、医薬用袋４に医薬ラベル２の剥離跡が残されることになり、施用者はそれを目視することで施用を確認する。
【００１３】
さらに、図３（ｂ）に示すように医薬用袋４の患者情報が印字されている患者ラベル１のバーコード１ｄと取り出した医薬５に貼り替えた医薬ラベル２に印字されているバーコード２ｃをそれぞれ携帯情報端末８で読み取り、読み取った情報をデータベース記憶部９ａの情報と照合することで、患者に施用すべき医薬５の品種、月日等に間違いがないことが確認され、施用されることとなる。
【００１４】
携帯情報端末８では、図５に示すように読み取った各バーコードの情報を読取記憶部９ｂに記憶し、同記憶した情報に相当するデータをメインコンピュータ６内のデータベース部７ａから呼び出し、データベース記憶部９ａに記憶する。次いで、携帯情報端末８の内蔵タイマで現在月日を確認してデータベース記憶部９ａの情報と照合し、不一致であれば携帯情報端末８の表示部８ｂに警告を表示するとともに警報部８ｃで警報音を鳴らし、施用者に間違いであることを警報する。一致していれば、患者情報，医薬品種を順に照合していき、不一致であれば同様に警報し、一致していれば照合済の情報をデータベース部７ａに記録して処理を終了する。
【００１５】
【発明の効果】
以上説明したように、本発明によれば患者に施用される医薬や医療器具に患者と施用情報の照合を行えるバーコード付きラベルを貼付し、施用直前に患者と医薬情報を確認することにより医薬の過った施用が防止できるとともに、このラベルが患者別、施用別に区分保管された医薬用袋に貼付されることにより医薬の施用の間違いが防止できる。
【図面の簡単な説明】
【図１】実施例の医薬用袋の外観図である。
【図２】実施例のメインコンピュータ及びバーコード読み取り機能を備えた携帯情報端末のデータベースの概念図である。
【図３】実施例のラベルの貼り替えとバーコードの読み取りを示す説明図である。
【図４】実施例の医薬の施用手順を示す説明図である。
【図５】実施例のデータベースのソフトウェアのフローチャートである。
【符号の説明】
１  患者ラベル
１ａ  患者情報
１ｂ  医薬品種情報
１ｃ  医薬施用情報
１ｄ  バーコード
２  医薬ラベル
２ａ  患者情報
２ｂ  医薬品種情報
２ｃ  バーコード
３  ミシン目
４  医薬用袋
５  医薬
６  メインコンピュータ
６ａ  インターフェイス
７  ソフトウェア
７ａ  データベース部
８  携帯情報端末
８ａ  インターフェイス
８ｂ  表示部
８ｃ  警報部
９  照合用のソフトウェア
９ａ  データベース記憶部
９ｂ  読取記憶部
９ｃ  照合部
Ｈ  人
【図１】
2004173810.tif 000003
【図２】
2004173810.tif 000004
【図３】
2004173810.tif 000005
【図４】
2004173810.tif 000006
【図５】
2004173810.tif 000007